(57)【要約】【課題】  呼び線の先端に取り付けることによって管内への挿通が楽になると共に、既存のケーブルが上下左右に振れていたとしてもこの既存のケーブルに絡むことなくスムーズに挿通させることのできる呼び線の先導案内具を提供する。【解決手段】  後端部に呼び線Ｗを連結するための連結部３を有する可撓性を備えた軸部材１と、該軸部材１の回りで回転可能に装着された回転部材２とからなり、該回転部材２が、互いに所定の間隔を隔てて配置された複数の硬質の可撓性線材４をその中腹部を円弧状に膨らませて樽状の形態に形成してあり、これら個々の線材４が軸部材１の回りで緩やかな螺旋を描く形状に形成されている構造。【選択図】      図１
2005080379.tif 000002
【特許請求の範囲】
【請求項１】
一端部に呼び線(W)を連結するための連結部(3)を有する可撓性を備えた軸部材(1)と、該軸部材(1)の回りで回転可能に装着された回転部材(2)とからなり、該回転部材(2)が、互いに所定の間隔を隔てて配置された複数の硬質の可撓性線材(4)をその中腹部を円弧状に膨らませて樽状の形態に形成してあり、これら個々の線材(4)が軸部材(1)の回りで緩やかな螺旋を描く形状に形成されている呼び線の先導案内具。
【請求項２】
軸部材(1)の先端に先端側を球状とした先導体(6)が設けられている請求項１に記載の呼び線の先導案内具。
【請求項３】
回転部材(2)の線材(4)の両端が、軸部材(1)に回転自在に取り付けられた前後一対のボス(5)，(5)に保持され、前後何れかのボス(5)が軸部材(1)に沿ってスライドできるように形成されている請求項１に記載の呼び線の先導案内具。
【発明の詳細な説明】
【技術分野】
【０００１】
本発明は、光ケーブルや電線、電話線等をケーブル保護管内に導入して通線するのに使用される通線線材、通称呼び線の先端に取り付けて用いる先導案内具に関する。
【背景技術】
【０００２】
従来、地中や建築構造物の天井、壁面に配設した管内に電線や電話線、光ケーブル（以下これらを総称して単にケーブルという）を通線する手段として、通称呼び線と呼ばれる直進性に優れた通線用の線材を管の一方の開口部から管内に挿通させて他方の開口部から引き出し、この呼び線の末端にケーブルを連結して通線させている。
【０００３】
しかしながら、従来の呼び線は障害物のない空管に挿通させるには問題は無いが、例えば既にケーブルが挿通されている管に別のケーブルを挿通させる場合には、既設のケーブルが管内で上下左右に振れていたり蛇行していることがあり、この蛇行部分に呼び線の先端部分が接触して食い込むと抵抗が大きくなり、挿通作業が大変困難となり、挿通を中断しなければならないことも起こるという問題点があった。
【特許文献１】実公昭６１−２２４２４号公報
【特許文献２】実公平０４−１６５６６号公報
【特許文献３】特開平１１−１８２３８号公報
【発明の開示】
【発明が解決しようとする課題】
【０００４】
そこで本発明は、呼び線の先端に取り付けることによって管内への挿通が楽になると共に、既存のケーブルが上下左右に振れていたり蛇行していたりすることがあっても、既存のケーブルに絡み付いたり、食い込んでそれ以上の挿入ができないというような事態を生ずることなく、スムーズに挿通させることができる呼び線の先導案内具を提供することを主たる目的とするものである。
【課題を解決するための手段】
【０００５】
上記目的を達成するために本発明では次のような技術的手段を講じた。即ち、本発明に係る呼び線の先導案内具にあっては、一端部に呼び線Ｗを連結するための連結部３を有する可撓性を備えた軸部材１と、該軸部材１の回りで回転可能に装着された回転部材２とからなり、該回転部材２が互いに所定の間隔を隔てて配置された複数の硬質の可撓性線材４をその中腹部を円弧状に膨らませて樽状の形態に形成してあり、これら個々の線材４が軸部材１の回りで緩やかな螺旋を描いて形成されている構造とした。前記回転部材２の最大径は挿通すべきケーブル保護管Ｂに余裕を持って挿入できる寸法で形成されているものとする。また、軸部材１の先端には先端側を球状とした先導体６を設けるのが好ましい。
【発明の効果】
【０００６】
本発明にいう呼び線の先導案内具では、回転部材２を構成する線材４の円弧状に膨らませた頂点部分しか管内周面に接触することがないので、摩擦抵抗が小さくなってスムーズに挿入することができると共に、ケーブルを増設挿入する場合であっても、管内に存在する既存のケーブルが上下左右に振れたり蛇行したりして配線されている場合のケーブルどうしの隙間に、回転部材２の線材が嵌り込んで直進性が阻止されようとしても、嵌り込んだ線材の円弧状形状と螺旋形状とにより、直進力に伴う浮上力と螺旋方向への分岐力との作用で嵌り込んだ線材が浮き上がると共に、回転する方向に移行して回転部材２が回転し、線材が障害部分を容易に乗り越えることができ、既設ケーブルに絡むことなくスムーズに挿通させることができるという顕著な効果を期待することができる。加えて、硬質の線材４は適度な可撓性を有するので、何らかの障害物によって通路が狭くなっている箇所やカーブ状配管部分でも、回転部材２の径が縮小したり変形したりすることにより、容易に通り抜けることができるといった優れた効果がある。
【発明を実施するための最良の形態】
【０００７】
本発明は上記のような構成とすることによって、先導案内具を先導体として呼び線Ｗをケーブル保護管Ｂ内に挿入するとき、回転部材２を構成する線材４の両端が、軸部材１に回転自在に取り付けられた前後一対のボス５，５に保持されている構成とし、その前後何れかのボス５を軸部材１に対して回転のみするものとし、他の何れかを軸部材１に沿ってスライドできるように形成するのがよい。これにより、先導案内具の挿入課程で何らかの理由により通路が細くなって回転部材２の線材４が圧迫されたとき、スライド可能なボス５が軸方向にスライドして容易に回転部材２の径を縮小して容易に通り抜けることができる。
【実施例】
【０００８】
図１〜図３は本発明に係る呼び線先導案内具の一実施例を示すものである。この先導案内具は、適度な可撓性と突っ張り強度を備えた軸部材１の先端部分に、該軸部材１の回りで回転可能に装着された回転部材２を備えている。
【０００９】
上記回転部材２は、周方向に所定の間隔を隔てて配置された複数の、実施例では６本の硬質合成樹脂素材製の硬質可撓性線材４が中腹部を円弧状に膨らませた樽状の形態に形成され、これら線材４の両端が軸部材１に回転自在に取り付けられた前後一対のボス５，５に保持されている。先端側のボス５は軸部材１に沿って前後に移動できないようにストッパー９と先端先導体６の固定軸６ａの後端段部１０との間で軸方向移動が阻止されている。図示のように、後部のボス５の前に前方移動阻止スリーブ９ａを設けてもよい。この後部のボス５は硬質線材４が周方向から圧縮されたとき、軸部材１に沿って後方にスライドできるようにその後方には移動阻止部材が設けられていない形状とされている。また、前記個々の線材４は軸部材１の回りで緩やかな螺旋を描く形状に形成されている。この回転部材２の最大径は、挿通すべきケーブル保護管Ｂに余裕をもって挿入できる寸法に形成されている。
【００１０】
また、本実施例では、図２に示すように各線材４の先端部分での立ち上がり角度αを約４５度とし、後端部分の立ち上がり角度βを約３０度とした。これは反復挿入試験によって確認されたデーターに基づいて最も好ましい実施例として作成したものである。しかしながら、この寸法は勿論限定されるものではない。
【００１１】
更に、軸部材１の先端には挿入ガイド用の球状先導体６が設けられており、後端には呼び線Ｗを連結するための連結部３が設けられている。この先導体６も全体が球状である必要はなく、先端面が球状であれば長円形でも砲弾形でもその他適宜の形状のものとすることができる。また、連結部３の構造も呼び線Ｗを連結できる構造であればどのようなものでもよいが、本実施例では図１のようにネジ孔３ａが設けられ、このネジ孔３ａに呼び線Ｗの先端に設けたネジ軸部７を螺入することによって連結できる構造となっている。
【００１２】
以上の如く構成された先導案内具では、呼び線Ｗと共に先導案内具をケーブル保護管Ｂに挿入したときに、先導案内具の回転部材２が複数の硬質の可撓性線材４によって中腹部を円弧状に膨らませた樽状の形態に形成されているので、管Ｂの内周面との接触部分が回転部材２の円弧の頂点部分、即ち線材４の円弧の一部のみとなって管内移動時の管内面への接触部分が非常に少なく、これにより摩擦抵抗が小さくなって楽に挿入することができる。また、既存のケーブル８が上下左右に振れたり蛇行して配線されていて、その隙間に回転部材２を構成する螺旋状の線材４の先端側部分が嵌り込むようなことがあっても、回転部材２が回転して障害部分を乗り越えることができ、これにより既存ケーブル８に絡むことなく容易に挿通させることができる。加えて硬質の線材４は適度な可撓性を有するので、何らかの障害物によって通路が狭くなっているところでも回転部材２の径を縮小して通り抜けることができる。この場合、線材４の後端を保持する後部ボス５が軸部材１に沿ってスライド可能に形成されているので、回転部材２の線材４が圧迫されたときに後部ボス５が後退して容易に径をを縮小したり変形したりすることができる。
【００１３】
以上の実施例では、可撓性線材４をモノフィラメント状のものとして図示してあるが、図示のもののみならず、例えば図４に示したようにモノフィラメント３本を撚り合わせた線状材や、図５のイに示したモノフィラメント２本を撚り合わせた線状材、図５のロに示した断面形状平帯状の素材を単体で撚り合わせた線状材等のように、撚り線状のものを使用した場合には、他物への接触部が点接触のように更に局部的になり、既設ケーブルとの接触時の乗り越えが更に容易になる利点がある。
【００１４】
以上本発明の実施例について説明したが、本発明は必ずしもこれらの実施例構造のみに限定されるものでない。例えば回転部材２を構成する線材４の数は、本実施例では６本としたが、その数に特定されるものではなく本数を増減して実施することが可能である。その他本発明ではその構成要件を備え、かつ本発明の目的を達成し、上記の効果を奏する範囲内において適宜改変して実施することができるものである。
【産業上の利用可能性】
【００１５】
本発明の呼び線先導案内具では、地中に埋設した管にケーブルを挿通させる場合に限らず、建築構造物の天井裏や壁面中に配管したケーブル保護管や小さな隙間にケーブルを通線させる場合にも応用させることができる。
【図面の簡単な説明】
【００１６】
【図１】本発明に係る先導案内具の一実施例を示す分解斜視図であって、呼び線と共に示されている。
【図２】上記先導案内具の側面図。
【図３】上記先導案内具の使用例を示す説明図。
【図４】可撓性線材の形状を示す部分斜視図。
【図５】可撓性線材の形状を示す断面図。
【符号の説明】
【００１７】
１  軸部材
２  回転部材
３  連結部
４  線材
５，５  ボス
６  先導体
Ｗ  呼び線
Ｂ  管
【図１】
2005080379.tif 000003
【図２】
2005080379.tif 000004
【図３】
2005080379.tif 000005
【図４】
2005080379.tif 000006
【図５】
2005080379.tif 000007